(57)【要約】【課題】簡単な構造により内部光学系の光軸偏心エラーを確実に防止することができる顕微鏡対物レンズ及び顕微鏡を提供する。【解決手段】内部光学系を有する内枠１と、内枠１が光軸に沿って移動可能に嵌合された筒状の外枠５のそれぞれに、テーパ面を有する当て付け部１０，１１を形成するとともに、圧縮コイルばね７により内枠１を光軸方向に押圧することで、テーパ面の当て付け部１０，１１により内枠１に対し常に光軸上に沿って移動させるような力を作用させる。【選択図】図１
2006337746.tif 000002
【特許請求の範囲】
【請求項１】
内部光学系を有する内枠と、
前記内枠が光軸に沿って移動可能に嵌合された筒状の外枠と、
前記内枠及び外枠の少なくとも一方に設けられた当て付け部と、
前記内枠を前記光軸方向に押圧し、前記内枠を前記外枠に対し前記当て付け部を介して当て付ける弾性部材と  を具備し、
前記当て付け部は、前記弾性部材の弾性力により前記内枠が常に前記外枠との嵌合ガタをなくすように形成されることを特徴とする顕微鏡用対物レンズ。
【請求項２】
前記当て付け部は、テーパ面に形成されていることを特徴とする請求項１記載の顕微鏡用対物レンズ。
【請求項３】
前記当て付け部は、曲面状に形成されていることを特徴とする請求項１記載の顕微鏡用対物レンズ。
【請求項４】
前記当て付け部は、内枠及び外枠の少なくとも一方に着脱可能で、かつ前記光軸方向に移動可能に設けられたことを特徴とする請求項２又は３のいずれかに記載の顕微鏡用対物レンズ。
【請求項５】
対物レンズの焦点距離をｆ、前記内枠の前記外枠の中空部への嵌合長をＬとしたとき、ｆ＜Ｌの関係になるように設定されることを特徴とする請求項１乃至４のいずれかに記載の顕微鏡用対物レンズ。
【請求項６】
請求項１乃至５のいずれかに記載の顕微鏡用対物レンズを適用したことを特徴とする顕微鏡。
【発明の詳細な説明】
【技術分野】
【０００１】
本発明は、スプリング緩衝機構を有する顕微鏡対物レンズ及び顕微鏡に関するものである。
【背景技術】
【０００２】
最近、光学顕微鏡として、照明光学系により照明された標本の光学像を顕微鏡対物レンズを介して投影し、この投影された光学像をＣＣＤカメラなどの撮像手段により撮像し、観察画像をモニターなどに表示可能にしたものが用いられている。
【０００３】
ところで、このような光学顕微鏡のＣＣＤカメラに用いられる撮像素子であるＣＣＤのサイズは、１／２,１／３インチ…と、ますます小さくなっている。ところが、ＣＣＤサイズの小型化が進むと、光学顕微鏡に取り付く対物レンズの倍率切り換えの際に、対物レンズの光軸偏心により標本の光学像がＣＣＤの撮像面内に入らずに一部外れるような場合がある。
【０００４】
特に、顕微鏡対物レンズとして、スプリング緩衝機構の付いているもの、つまり、標本から対物レンズ先端までの作動距離(WD  Working  distance)の短いタイプのもので、標本を破壊するのを防止のため、スプリングによるクッション作用により対物レンズ先端が対物レンズ内部に退避するような機構を有するものは、対物レンズの構成が複雑になるため、対物レンズの光軸偏心量が大きくなり、上述した標本の光学像がＣＣＤの撮像面内に入らないような事態が多々生じることがある。
【０００５】
図６は、スプリング緩衝機構を有する従来の顕微鏡対物レンズの一例を示している。この場合、内枠１０１の中空部には、光軸Ｚに沿って複数のレンズ群１０２を保持した鏡枠群１０３が配置されている。内枠１０１の一方開口には、リング部材１０４が螺着され、このリング部材１０４のねじ込みにより複数の鏡枠群１０３が光軸Ｚに沿って固定されている。また、内枠１０１は、外枠１０５の中空部に、光軸Ｚに沿って移動可能に挿入されている。外枠１０５は、一方端部にねじ部１０５ａが形成され、不図示の顕微鏡本体に螺着可能になっている。また、外枠１０５の一方開口には、リング部材１０６が螺着されている。そして、このリング部材１０６と内枠１０１側のリング部材１０４との間に圧縮コイルばね１０７が配置され、この圧縮コイルばね１０７の押圧力により内枠１０１を光軸Ｚ方向に移動させ、内枠前方端面１０１ａが外枠内径端面１０５ｂに当てつけられるようになっている。一方、内枠１０１の外周面には、光軸Ｚに沿って長溝１０８が形成され、この長溝１０８に、外枠１０５に螺着されたピン１０９の先端部が挿入され、内枠１０１の光軸Ｚ方向の移動の際に、内枠１０１が不必要に回転して光軸偏心エラーを発生するのを防止する回転防止機構が構成されている。
【０００６】
ところが、このように外枠１０５に螺着されたピン１０９先端部を内枠１０１の長溝１０８に挿入してなる回転防止機構を構成しても、外枠１０５の中空部に配置される内枠１０１の嵌合ガタやピン１０９先端部と長溝１０８との間に生じる僅かな隙間などが光軸偏心に影響することがあり、依然として内枠１０１の移動による光軸偏心エラーが発生するという問題がある。
【０００７】
そこで、従来、特許文献１に開示されるように、上述した図６の構成において、光軸偏心エラーを規制するための圧縮コイルばねにより、内部光学系を光軸方向に移動するように付勢すると同時に、さらに内部光学系を光軸回りに回転させるように付勢することで、ピン先端部と長溝との間に生じる僅かな隙間が原因する光軸偏心エラーの発生を防止するようにしたものや、特許文献２に開示されるように顕微鏡本体に螺着される外枠内に光学系の一部を光軸方向に移動可能にした内部光学系を嵌装し、内部光学系を光軸方向に付勢する圧縮コイルばねの他に、さらに内部光学系を外枠の内周面に付勢する板バネを設け、内部光学系が外枠に対して光軸回りに回転することがないように構成したものが考えられている。
【特許文献１】特開平１１-１６７０６６号公報
【特許文献２】特開２０００−３３８４１１号公報
【発明の開示】
【発明が解決しようとする課題】
【０００８】
ところが、特許文献１のものは、圧縮コイルばねにより内部光学系を光軸回りに回転させるように付勢することで、回転防止機構を構成するピン先端部と長溝との間に生じる僅かな隙間をなくすことはできるが、外枠の中空部に挿入される内枠の嵌合ガタを抑える効果まで期待することができず、依然、光軸偏心エラーが発生するという問題がある。
【０００９】
また、特許文献２のものは、内部光学系を光軸方向に付勢する圧縮コイルばねの他に、さらに内部光学系を外枠の内周面に付勢する板バネを設けることで、外枠の中空部に挿入される内枠の嵌合ガタを抑制する効果を期待することができるが、スプリング緩衝機構の動作状態が、板バネにより作用される内部光学系を外枠の内周面に付勢する力に影響される。このため、スプリング緩衝機構を適切に機能させるには、板バネの付勢量の設定が非常に難しく、安定したスプリング緩衝動作が得られないことがある。また、板バネの付勢量を安定させるために、さらに付加部品が必要になり、部品点数がが増えて構成が複雑化する可能性もある。
【００１０】
本発明は上記事情に鑑みてなされたもので、簡単な構成により内部光学系の光軸偏心エラーを確実に防止することができる顕微鏡対物レンズ及び顕微鏡を提供することを目的とする。
【課題を解決するための手段】
【００１１】
請求項１記載の発明は、内部光学系を有する内枠と、前記内枠が光軸に沿って移動可能に嵌合された筒状の外枠と、前記内枠及び外枠の少なくとも一方に設けられた当て付け部と、前記内枠を前記光軸方向に押圧し、前記内枠を前記外枠に対し前記当て付け部を介して当て付ける弾性部材とを具備し、前記当て付け部は、前記弾性部材の弾性力により前記内枠が常に前記外枠との嵌合ガタをなくすように形成されることを特徴としている。
【００１２】
請求項２記載の発明は、請求項１記載の発明において、前記当て付け部は、テーパ面に形成されていることを特徴としている。
【００１３】
請求項３記載の発明は、請求項１記載の発明において、前記当て付け部は、曲面状に形成されていることを特徴としている。
【００１４】
請求項４記載の発明は、請求項２又は３に記載の発明において、前記当て付け部は、内枠及び外枠の少なくとも一方に着脱可能で、かつ前記光軸方向に移動可能に設けられたことを特徴としている。
【００１５】
請求項５記載の発明は、請求項１乃至３のいずれかに記載の発明において、対物レンズの焦点距離をｆ、前記内枠の前記外枠の中空部への嵌合長をＬとしたとき、ｆ＜Ｌの関係になるように設定されることを特徴としている。
【００１６】
請求項６記載の発明は、請求項１乃至５のいずれかに記載の顕微鏡用対物レンズを顕微鏡に適用したことを特徴としている。。
【発明の効果】
【００１７】
本発明によれば、簡単な構造により内部光学系の光軸偏心エラーを確実に防止することができる顕微鏡対物レンズ及び顕微鏡を提供できる。
【発明を実施するための最良の形態】
【００１８】
以下、本発明の実施の形態を図面に従い説明する。
【００１９】
（第１の実施の形態）
図１は、本発明の第１の実施の形態にかかる顕微鏡対物レンズの概略構成を示している。この第１の実施の形態では、顕微鏡対物レンズとして、無限遠補正光学系で、同焦距離４５ｍｍ、倍率４０×、結像レンズ焦点距離１８０ｍｍのものを示している。
【００２０】
図において、１は筒状の内枠で、この内枠１の中空部には、光軸Ｚに沿って内部光学系を構成する複数のレンズ群２を保持した鏡枠群３が配置されている。内枠１の一方端開口端には、内周面にねじ部１ａが形成され、このねじ部１ａには、リング部材４が螺着されている。このリング部材４は、ねじ部１ａにねじ込まれるもので、このねじ込みにより鏡枠群３を内枠１の他方端開口端の突出部１ｂ側に押し付け、複数の鏡枠群３を光軸Ｚ上に沿って固定している。また、内枠１は、他方開口部の外周面に当て付け部１０が形成されている。この当て付け部１０は、光軸Ｚ方向に沿って傾斜するテーパ面が形成されている。
【００２１】
このような内枠１は、筒状の外枠５の中空部に、光軸Ｚに沿って移動可能に嵌合されている。この場合、図２に示すように内枠１の外枠５の中空部への嵌合長をＬとすると、この嵌合長Ｌは、対物レンズの焦点距離ｆに対して、ｆ＜Ｌの関係になるように設定されている。また、内枠１の外周面と外枠５の内周面との間には、わずかな隙間δが形成され、外枠５中空部での内枠１の光軸Ｚに沿ったスムーズな動きを得られるようにしている。
【００２２】
外枠５は、一方開口端部の外周面にねじ部５ａが形成されている。このねじ部５ａは、顕微鏡対物レンズを不図示の顕微鏡本体に螺着するためのものである。また、外枠５は、他方開口部の内周面に当て付け部１１が形成されている。この当て付け部１１は、内枠１の当て付け部１０を当接可能としたもので、光軸Ｚ方向に沿って当て付け部１０と同じ角度で傾斜するテーパ面が形成されている。
【００２３】
外枠５は、一方開口端の内周面にねじ部５ｂが形成され、このねじ部５ｂに、リング部材６が螺着されている。そして、リング部材６と内枠１側のリング部材４との間に、弾性部材として圧縮コイルばね７が配置されている。この圧縮コイルばね７は、内枠１を光軸Ｚ方向に押圧する弾性力を作用するもので、内枠１の当て付け部１０のテーパ面を、外枠５の当て付け部１１のテーパ面に当接させるようにしている。この場合、圧縮コイルばね７の押圧力は、内枠１の重量を支えるとともに、対物レンズ先端が標本に接触した時に、内枠１が外枠５内部にスムーズに退避するスプリング緩衝動作が得られる力量に設定されている。
【００２４】
内枠１の外周面には、光軸Ｚに沿って長溝８が形成されている。一方、外枠５の内周面には、ピン９が螺着されている。このピン９は、先端部が長溝８に挿入されていて、内枠１が光軸Ｚに沿って移動する際に、内枠１の光軸回りの回転を阻止して光軸偏心エラーを防止する回転防止機構を構成している。
【００２５】
なお、図示１２は、対物レンズ全体を覆う外側カバーである。
【００２６】
このような構成によると、内枠１の外周面と外枠５の内周面との間に、わずかな隙間δが形成され、内枠１に外枠５中空部の光軸Ｚに沿ったスムーズな動きが確保されるので、圧縮コイルばね７の弾性力を利用したスプリング緩衝動作を安定して得ることができる。
【００２７】
また、不図示の顕微鏡本体に螺着される外枠５の中空部に配置される内枠１は、圧縮コイルばね７により外枠５の当て付け部１１に緩衝作用可能な力量で常に押圧されている。この状態で、内枠１の当て付け部１０と、この当て付け部１０に当接される外枠５の当て付け部１１は、それぞれテーパ面に形成されているので、圧縮コイルばね７の押圧力と調心効果により、内枠１は、常に光軸Ｚ上に沿って移動可能となり、外枠５に対する嵌合ガタによる偏心の影響を受けなくできる。したがって、このような簡単な構成をもって、外枠５に対する内枠１の横ズレの発生を抑制し、内枠１と外枠５の嵌合ガタをなくすことができるので、内枠１の外周面と外枠５の内周面との間に、僅かな隙間δがあっても、この隙間δによる内部光学系の光軸偏心エラーを確実に防止することができる。
【００２８】
これにより、このような構成の対物レンズを顕微鏡に適用すれば、標本観察の途中で対物レンズを切換えることがあっても、観察視野中心のズレの少ない安定した顕微鏡観察を実現することができる。
【００２９】
一方、仮に、内枠１の当て付け部１０と外枠５の当て付け部１１の、それぞれテーパ面に角度誤差があるような場合、テーパ面の任意の一点が支点となり、内枠１に傾きを生じるおそれがある。この場合、例えば、図２に示すように、上述した任意の支点をａ、内枠１と外枠５との間の隙間をδ、内枠１の外枠５の中空部への嵌合長をＬとすると、これらの間には、ｔａｎθ＝δ／Ｌの関係が得られる。また、対物レンズの光軸偏心量を△２とした場合、この光軸偏心量△２は△２＝ｆ・ｔａｎθ’(ここで、ｆは、対物レンズの焦点距離、θ’は、対物レンズ総合傾き)で表わされる。この場合、θ’は、θ＋αで表わされ、ここでのαは、顕微鏡本体に対物レンズを取り付け時の偏心等のエラーである。しかし、実際は、α分のエラーは微少であるためθ’≒θと考えることができる。これにより、対物レンズの光軸偏心量△２は、△２≒ｆ・δ／Ｌとなる。従来の対物レンズの光軸偏心量△１は、横ズレのみを考えたものであり、△１＝δとなる。これにより、上述したようにｆ＜Ｌの関係に構成することにより、常に△１＞△２の関係が成り立ち、従来の対物レンズよりも光軸偏心量を小さくできる。
【００３０】
ちなみな、第１の実施の形態の顕微鏡対物レンズの場合、焦点距離が１８０÷４０＝４.５ｍｍとなり、内枠１の外枠５中空部への嵌合長Ｌが同焦点距離（４５ｍｍ）の約半分で２２.５ｍｍ(４５÷２=２２.５ｍｍ)に設定されているとすると、△２≒０.２δとなる。このことから、内枠１の外周面と外枠５の内周面との間に、わずかな隙間δがあっても、この隙間δによる光軸偏心量は、隙間δの約１／５と小さな値に抑えることができ、光軸偏心エラーを確実に防止することができる。
【００３１】
なお、第１の実施の形態では、内枠１の当て付け部１０と外枠５の当て付け部１１は、それぞれテーパ面を形成しているが、テーパ面は、内枠１の当て付け部１０又は外枠５の当て付け部１１の少なくとも一方に形成されていれば、同様の効果が得られる。
【００３２】
（第２の実施の形態）
次に、本発明の第２の実施の形態を説明する。
【００３３】
図３は、本発明の第２の実施の形態に係る顕微鏡対物レンズの概略構成を示すもので、図１と同一部分には、同符号を付している。
【００３４】
この場合も、内枠１は、他方開口部の外周面に当て付け部２１が形成されている。この当て付け部２１は、曲面状に形成されている。また、外枠５は、他方開口部の内周面に当て付け部２２が形成されている。この当て付け部２２は、開口中心方向に延出される突出部２２ａを有するもので、この突出部２２ａ先端を内枠１の当て付け部２１に当接可能としている。図４は、この部分の構成を拡大して示している。
【００３５】
また、外枠５側のリング部材６と内枠１側のリング部材４との間には、圧縮コイルばね７が配置されている。この圧縮コイルばね７は、内枠１を光軸Ｚ方向に押圧する弾性力を作用するもので、内枠１の曲面状の当て付け部２１に外枠５の当て付け部２２の突出部２２ａ先端を当接させるようにしている。この場合、当て付け部２２の突出部２２ａ先端は、圧縮コイルばね７の弾性力にともない曲面状の当て付け部２１の曲率半径方向に押圧力を作用させるようになっている。
【００３６】
その他は、第１の実施の形態と同様である。
【００３７】
このような構成によると、圧縮コイルばね７の押圧力が作用される内枠１の当て付け部２１には、外枠５の当て付け部２２の突出部２２ａが当接される。この場合、外枠５の当て付け部２２が当接される内枠１の当て付け部２１は、曲面状に形成され、当て付け部２２の突出部２２ａ先端が当接されるので、このとき曲面状当て付け部２１の曲率中心が光軸Ｚに向かうようになっていれば、球心効果が発生して、内枠１は、常に光軸Ｚ上に沿って移動されるようになる。これにより、外枠５に対する内枠１の横ズレの発生を防止でき、この間の嵌合ガタを確実になくすことができる。そして、これら内枠１と外枠５の嵌合ガタがなくなることにより、内枠１の外周面と外枠５の内周面との間に、わずかな隙間δがあっても、この隙間δによる光軸偏心エラーも防止できる。
【００３８】
また、内枠１の当て付け部２１と外枠５の当て付け部２２の、それぞれの形状に寸法誤差があったような場合、これら当て付け部２１，２２の任意の一点が支点となり、内枠１は傾きを生じるおそれがあるが、この場合も、内枠１の傾きを考慮した対物レンズの光軸偏心量は△２≒ｆ・δ／Ｌで表わされることから、第１の実施の形態で述べたと同様にして光軸偏心量を小さな値に抑えることができ、光軸偏心エラーも防止できる。
【００３９】
なお、この第２の実施の形態では、内枠１の当て付け部２１を曲面状に形成した例を述べたが、外枠５の当て付け部２２側を曲面状に形成しても同様な効果が得られる。また、図示しないが内枠１又は外枠５の当て付け部に曲面形状を持たせるため、ボール部材を配置固定させてもよい。
【００４０】
（第３の実施の形態）
次に、本発明の第３の実施の形態を説明する。
【００４１】
図５は、本発明の第３の実施の形態に係る顕微鏡対物レンズの概略構成を示すもので、図１と同一部分には、同符号を付している。
【００４２】
この場合、内枠１は、他方開口部の外周面に当て付け部３１が形成されている。この当て付け部３１は、光軸Ｚ方向に沿って傾斜するテーパ面が形成されている。また、外枠５は、他方開口部の内周面にねじ部５ｄが形成されている。このねじ部５ｄには、リング部材３２が螺装される。このリング部材３２の一方開口部の内周面に当て付け部３２ａが形成されている。この当て付け部３２ａは、内枠１の当て付け部３１に当接可能としたもので、光軸Ｚ方向に沿って当て付け部３１と同じ角度で傾斜するテーパ面が形成されている。
【００４３】
その他は、第１の実施の形態と同様である。  
このような構成としても、圧縮コイルばね７の押圧力が作用される内枠１の当て付け部３１と、該当て付け部３１に当接されるリング部材３２の当て付け部３２ａは、それぞれテーパ面に形成され、これらテーパ面が圧接されるので、外枠５に対する内枠１の横ズレの発生を防止でき、この間の嵌合ガタを確実になくすことができる。そして、これら内枠１と外枠５の嵌合ガタがなくなることにより、内枠１の外周面と外枠５の内周面との間に、わずかな隙間δがあっても、この隙間δによる光軸偏心エラーも防止できる。
【００４４】
また、仮に、内枠１の当て付け部３１とリング部材３２の当て付け部３２ａの、それぞれテーパ面に角度誤差があったような場合は、テーパ面の任意の一点が支点となり、内枠１に傾きを生じるおそれがあるが、この場合も、内枠１の傾きを考慮した対物レンズの光軸偏心量は、△２≒ｆ・δ／Ｌで表わされることから、第１の実施の形態で述べたと同様にして光軸偏心量を小さな値に抑えることができ、光軸偏心エラーも防止できる。
【００４５】
さらに、外枠５のねじ部５ｄに当て付け部３２ａを有するリング部材３２を螺装し、このねじ込み量に応じてリング部材３２の光軸Ｚ方向の位置を調整できるので、内枠１の当て付け部３１とリング部材３２の当て付け部３２ａの、それぞれテーパ面の角度誤差により生じる対物レンズ組立時に発生する同焦エラーも、リング部材３２の光軸方向の移動により補正することができる。
【００４６】
なお、この第３の実施の形態では、外枠５に当て付け部３２ａを有するリング部材３２を設けるようにしたが、内枠１側に設けても良く、又、外枠５と内枠１の両方に設けるようにしても良い。また、当て付け部３１は、テーパ面のみでなく、第２の実施の形態で述べた曲面状のものであってもよい。
【００４７】
その他、本発明は、上記実施の形態に限定されるものでなく、実施段階では、その要旨を変更しない範囲で種々変形することが可能である。
【００４８】
さらに、上記実施の形態には、種々の段階の発明が含まれており、開示されている複数の構成要件における適宜な組み合わせにより種々の発明が抽出できる。例えば、実施の形態に示されている全構成要件から幾つかの構成要件が削除されても、発明が解決しようとする課題の欄で述べた課題を解決でき、発明の効果の欄で述べられている効果が得られる場合には、この構成要件が削除された構成が発明として抽出できる。
【図面の簡単な説明】
【００４９】
【図１】本発明の第１の実施の形態に係る顕微鏡対物レンズの概略構成を示す図。
【図２】第１の実施の形態の内枠と外枠との隙間δ、内枠の外枠中空部への嵌合長Ｌ及び対物レンズ総合傾きθの関係を説明する図。
【図３】本発明の第２の実施の形態に係る顕微鏡対物レンズの概略構成を示す図。
【図４】第２の実施の形態に用いられる当て付け部を拡大して示す図。
【図５】本発明の第３の実施の形態に係る顕微鏡対物レンズの概略構成を示す図。
【図６】従来の顕微鏡対物レンズの概略構成を示す図。
【符号の説明】
【００５０】
１…内枠、１ａ…ねじ部、１ｂ…突出部
２…レンズ群、３…鏡枠群
４…リング部材、５…外枠、５ａ、５ｂ…ねじ部
６…リング部材、７…圧縮コイルばね７
８…長溝、９…ピン、１０、１１…当て付け部
１２…外側カバー、２１、２２…当て付け部
２２ａ…突出部、３１…当て付け部
３２…リング部材
【図１】
2006337746.tif 000003
【図２】
2006337746.tif 000004
【図３】
2006337746.tif 000005
【図４】
2006337746.tif 000006
【図５】
2006337746.tif 000007
【図６】
2006337746.tif 000008